(57)【要約】【課題】  選局時のタイムラグを違和感少なく短縮できる放送受信装置を提供する。【解決手段】  所望の番組に対応する、デジタル放送用のチャンネルとアナログ放送用のチャンネルとを検索するチャンネル検索部２２と、アナログ放送用のチャンネルに対応するアナログ放送信号を出力した後にデジタル放送用のチャンネルに対応するデジタル放送信号を出力する切替え部９とを備える。【選択図】  図１
2006333412.tif 000002
【特許請求の範囲】
【請求項１】
デジタル放送とアナログ放送との両方によって放送される番組を受信することができ、デジタル放送のデジタル放送信号およびアナログ放送のアナログ放送信号を再生可能な信号に復調する放送受信装置であって、
所望の番組に対応する、デジタル放送用のチャンネルとアナログ放送用のチャンネルとを検索するチャンネル検索手段と、
上記アナログ放送用のチャンネルに対応するアナログ放送信号を出力した後に上記デジタル放送用のチャンネルに対応するデジタル放送信号を出力する切替え手段とを備えることを特徴とする放送受信装置。
【請求項２】
上記切替え手段は、上記デジタル放送用のチャンネルが検索されてから、少なくとも当該チャンネルに対応するデジタル放送信号が再生可能になるまで上記アナログ放送用のチャンネルに対応するアナログ放送信号を出力し、上記デジタル放送信号が再生可能になった後に当該デジタル放送信号を出力することを特徴とする請求項１に記載の放送受信装置。
【請求項３】
上記切替え手段の出力がデジタル放送信号の出力に切替えられた後に、アナログ放送の受信部の動作を停止させる受信部制御手段をさらに備えることを特徴とする請求項１に記載の放送受信装置。
【請求項４】
アナログ放送信号から静止画像を形成する静止画像形成手段をさらに備え、
上記切替え手段は、デジタル放送信号が再生可能になった後に上記静止画像を所定時間出力し、当該静止画像を出力した後にデジタル放送信号を出力することを特徴とする請求項１に記載の放送受信装置。
【請求項５】
デジタル放送とアナログ放送との両方によって放送される番組を受信することができ、デジタル放送のデジタル放送信号およびアナログ放送のアナログ放送信号を再生可能な信号に復調する放送受信装置における放送受信方法であって、
所望の番組に対応する、デジタル放送用のチャンネルとアナログ放送用のチャンネルとを検索するチャンネル検索工程と、
上記アナログ放送用のチャンネルに対応するアナログ放送信号を出力した後に上記デジタル放送用のチャンネルに対応するデジタル放送信号を出力する切替え工程とを含むことを特徴とする放送受信方法。
【請求項６】
請求項１〜４のいずれか１項に記載の放送受信装置を動作させる放送受信プログラムであって、コンピュータを上記各手段として機能させるための放送受信プログラム。
【請求項７】
請求項６に記載の放送受信プログラムを記録したコンピュータ読取り可能な記録媒体。
【発明の詳細な説明】
【技術分野】
【０００１】
本発明は、地上デジタル放送と地上アナログ放送との両方を受信可能な放送受信装置に関するものであり、より詳細には放送受信装置の選局動作に関するものである。
【背景技術】
【０００２】
現在、地上アナログ放送から地上デジタル放送への移行が進んでいる。この地上デジタル放送は2003年に関東、近畿、東海の３大都市圏で開始されており、2006年には全国へ拡大する計画である。なお、現行のアナログ放送も2011年までは継続される予定である。アナログ放送が終了する2011年までは、デジタル放送とアナログ放送との両方が混在する形となり、ひとつの番組が、デジタル放送とアナログ放送とによって放送されるというサイマル放送が行われる。
【０００３】
この地上デジタル放送の技術規格ISDB-T (Integrated Services Digital Broadcasting-Terrestrial)では、変調方式に多数の搬送波(キャリア)を使う直交波周波数分割多重（OFDM（Orthogonal Frequency Division））が採用され、ビルによる反射など複数の伝播経路(マルチパス)によるゴースト妨害抑制が可能となっている。
【０００４】
更に、１つの放送波チャンネル(帯域約5.6MHz)を１３セグメント(１セグメント＝約４３０kHz)に分割することが可能である。これによって、１つのチャンネルで１２セグメントから構成される固定受信機用のハイビジョン放送と１セグメントのみの携帯端末向け放送とを放送するというような放送サービスが可能となる。
【０００５】
また、ISDB-Tは、時間軸方向のインターリーブや強力な誤り訂正機能を採用しているため、PDAや携帯電話などの携帯端末でも安定した受信が可能となる。
【０００６】
ここで従来の地上デジタル放送受信装置の構成を図１２に示す。同図に示すように、地上デジタル放送受信装置７０は、チューナ７２、OFMD復調部７３、TS（Transport Stream）処理部７４から構成される放送受信部７１と、放送電波を受信するアンテナ７５と、選局動作を行う選局部７６とを備えており、外部の映像表示部７７および音声出力用のスピーカ７８と接続されている。
【０００７】
アンテナ７５で受けた放送電波から、所望の放送チャンネルの周波数の電波がチューナ７２によって抽出される。このチューナ７２の構成の一例を図１３に示す。同図に示すように、チューナ７２は２つの増幅部７９、ミキサー部８０、フィルター部８１、PLL（Phase Locked Loop）部８２とから構成される。
【０００８】
チューナ７２の選局動作はアナログ放送とデジタル放送とで大きな違いはない。アンテナ７５で受信した放送電波は、増幅部７９で所定レベルに増幅された後、ミキサー部８０にてPLL部８２で設定された局部発振信号に応じて周波数変換される。そして、フィルター部８１によって不要信号成分が除去された信号は、増幅部７９によって再度増幅された後に出力される。
【０００９】
アナログ放送の場合には、チューナ７２から出力された信号はNTSC（National Television Standards Committee）復調され、画像データと音声データとが出力される。
【００１０】
一方、デジタル放送の場合には、OFDM復調部７３でデジタル復調処理、TS処理部７４でTS処理が行われる。OFDM復調部７３の構成の一例を図１４に示す。図１４に示すように、入力されたIF（Intermediate Frequency）信号はA/D（Analog/Digital）変換部８３においてA/D変換された後、直交復調部８４において直交検波され、ベースバンドシンボルに変換される。
【００１１】
その後、位相補正部８５により伝送環境による位相補正が行われ、FFT（Fast Fourier Transform）部８６にて時間軸データから周波数軸データに変換するフーリエ変換処理が行われ、各サブキャリアのシンボルデータが復調される。その後フレーム同期部８７にて受信同期シンボルの検出等が行われ、複数のシンボルから構成される伝送フレームの同期処理が実行される。
【００１２】
その後、検波部８８においてパイロット信号等の遅延検波が行われ、周波数・時間デインターリーブ部８９、ビットデインターリーブ部９０、ビタビ復号部９１、バイトデインターリーブ部９２、エネルギー拡散部９３、RS（Reed-Solomon）復号部９４にて、各種デインターリーブ処理と伝送中に生じた誤りの訂正処理が実行され、TSデータが出力される。
【００１３】
OFDM復調部７３から出力されたTSデータに対して、TS処理部７４にてデマックス処理およびデコード処理が行われ、画像データと音声データとが出力される。画像データは映像表示部７７で表示され、音声データはスピーカ７８から出力される。
【００１４】
前記のようにデジタル放送は、アナログ放送とは異なり、OFDM復調処理とTS処理（デマックス処理、画像デコード処理、音声デコード処理）とを必要とし、それらの処理にはアナログ放送のNTSC復調と比較して２秒程度長い処理時間を必要とする。したがって、アナログ放送は選局後直ぐ画像と音声とが出力されるのに対し、デジタル放送は選局操作後約２秒以上、画像表示や音声出力までに時間を要する。
【００１５】
携帯向け放送は移動中の空いた時間に放送を視聴されることが多く、さらに放送チャンネルを切替えながら短時間だけ見るといったザッピング視聴される可能性が高いと考えられる。したがって、デジタル放送を選局後直ぐに視聴できるようにすることは、解決すべき大きな課題といえる。
【００１６】
この問題に関し、特許文献１に記載のチャンネル切替え装置は、複数のデジタル放送受信部を備え、現在視聴しているチャンネルの他、ユーザによるアップダウンチャンネル変更操作で次に選局される可能性が高い、隣接チャンネルなどを予め受信、復調しておくことにより、隣接チャネルの放送を高速に視聴可能にしている。
【００１７】
また、特許文献２に記載のデジタル放送受信装置は、映像視聴用受信部の他に別チャンネルの画像データを記録するサブ受信部を搭載し、選局されたチャンネルの画像の表示が可能になるまでの間は、記録された画像データを一時的に表示することによりユーザの不快感を低減している。
【特許文献１】特開２００１−９４８９２号公報（２００１年４月６日公開）
【特許文献２】特開２００２−１１２１３８（２００２年４月１２日公開）
【発明の開示】
【発明が解決しようとする課題】
【００１８】
ところが、上記従来の構成ではいくつかの問題が生ずる。
【００１９】
例えば、特許文献１に記載のチャンネル切替え装置においては、アップダウンチャンネル変更操作以外の選局操作が行われた場合、すなわち、予想された選局以外の選局が行われた場合には、依然としてタイムラグが生じるという問題がある。
【００２０】
また、特許文献２に記載のデジタル放送受信装置においては、過去に記録された画像が出力されるため、現在の放送内容とのギャップが大きく、過去の画像から現在の画像へ出力が切替えられた時にユーザに違和感を与えるという問題がある。
【００２１】
本発明は上記の問題を鑑み、選局時のタイムラグを違和感少なく短縮できる放送受信装置を提供するものである。
【課題を解決するための手段】
【００２２】
本発明の放送受信装置は、上記の課題を解決するために、デジタル放送とアナログ放送との両方によって放送される番組を受信することができ、デジタル放送のデジタル放送信号およびアナログ放送のアナログ放送信号を再生可能な信号に復調する放送受信装置であって、所望の番組に対応する、デジタル放送用のチャンネルとアナログ放送用のチャンネルとを検索するチャンネル検索手段と、上記アナログ放送用のチャンネルに対応するアナログ放送信号を出力した後に上記デジタル放送用のチャンネルに対応するデジタル放送信号を出力する切替え手段とを備えることを特徴としている。
【００２３】
デジタル放送信号を、例えば画像や音声として、再生するためには、アナログ放送信号の場合よりも多くの処理を必要とする。そのため、アナログ放送は選局後直ぐに出力されるのに対し、デジタル放送は出力までに時間を要する。
【００２４】
上記の構成によれば、チャンネル検索手段は、所望の番組に対応するデジタル放送用のチャンネルとアナログ放送用のチャンネルとを検索する。そして、切替え手段は、アナログ放送用のチャンネルに対応するアナログ放送信号を出力した後に上記デジタル放送用のチャンネルに対応するデジタル放送信号を出力する。
【００２５】
それゆえ、デジタル放送信号が再生可能となるまでの間は、アナログ放送を出力することができる。したがって、所望の番組の内容、例えば画像および音声をアナログ放送を利用することによりデジタル放送の出力が可能になるのを待たずに出力することができ、選局時のタイムラグを短縮することができる。
【００２６】
また、同一内容のアナログ放送とデジタル放送とを切替える構成となっているため、切替え時の内容のギャップが生じにくく、切替えに伴う違和感を少なくすることができる。
【００２７】
また、上記切替え手段は、上記デジタル放送用のチャンネルが検索されてから、少なくとも当該チャンネルに対応するデジタル放送信号が再生可能になるまで上記アナログ放送用のチャンネルに対応するアナログ放送信号を出力し、上記デジタル放送信号が再生可能になった後に当該デジタル放送信号を出力することが好ましい。
【００２８】
上記の構成によれば、切替え手段は、デジタル放送用のチャンネルが検索されてから、少なくとも当該チャンネルに対応するデジタル放送信号が再生可能になるまで上記アナログ放送用のチャンネルに対応するアナログ放送信号を出力し、上記デジタル放送信号が再生可能になった後に当該デジタル放送信号を出力する。
【００２９】
それゆえ、デジタル放送信号が再生可能になるまでの時間にアナログ放送の例えば画像と音声とを出力することができる。その結果、ユーザは、デジタル放送の例えば画像と音声とが出力されない間はアナログ放送により番組の内容を知ることができる。
【００３０】
なお、切替え手段がデジタル放送信号を出力するタイミングは、デジタル放送が再生可能となった時点でもよいし、デジタル放送が再生可能となってから所定の時間が経過した時点であってもよい。
【００３１】
また、上記放送受信装置は、上記切替え手段の出力がデジタル放送信号の出力に切替えられた後に、アナログ放送の受信部の動作を停止させる受信部制御手段をさらに備えることが好ましい。
【００３２】
上記の構成によれば、切替え手段の出力がデジタル放送信号の出力に切替えられた後に、受信制部御手段は、アナログ放送の受信部の動作を停止する。
【００３３】
それゆえ、デジタル放送信号が出力された後では不要となるアナログ放送の受信部の動作を停止させることができるため上記放送受信装置の消費電力を軽減することが可能となる。
【００３４】
また、上記放送受信装置は、アナログ放送信号から静止画像を形成する静止画像形成手段をさらに備え、上記切替え手段は、デジタル放送信号が再生可能になった後に上記静止画像を所定時間出力し、当該静止画像を出力した後にデジタル放送信号を出力することが好ましい。
【００３５】
デジタル放送信号の処理に要する時間は、アナログ放送信号の処理に要する時間よりも長いため、デジタル放送の画像は、アナログ放送の画像よりも遅れて出力される。そのため、デジタル放送信号が再生可能になった直後にアナログ放送の出力からデジタル放送の出力へ切替えた場合には、既にアナログ放送によって出力された画像と同じものがデジタル放送によって出力されることになる。すなわち、映像が一部繰り返して出力されることになる。
【００３６】
上記の構成によれば、切替え手段は、デジタル放送信号が再生可能になった後に静止画像形成手段によって形成された静止画像を所定時間出力し、当該静止画像を出力した後にデジタル放送信号を出力する。
【００３７】
それゆえ、デジタル放送とアナログ放送との映像の重複をアナログ放送の静止画像を出力することにより少なくとも一部解消することができる。
【００３８】
なお、上記放送受信装置において音声を出力する場合には、上記静止画像を出力している間は、音声を無音にしてもよいし、アナログ放送またはデジタル放送の音声を出力してもよい。
【００３９】
また、静止画像形成手段による静止画像形成のタイミングは特に限定されないが、よりスムーズな映像の切替を行うためには、デジタル放送信号が再生可能となった時点のアナログ放送の画像を基に静止画像を形成することが好ましい。
【００４０】
本発明の放送受信方法は、上記の課題を解決するために、デジタル放送とアナログ放送との両方によって放送される番組を受信することができ、デジタル放送のデジタル放送信号およびアナログ放送のアナログ放送信号を再生可能な信号に復調する放送受信装置における放送受信方法であって、所望の番組に対応する、デジタル放送用のチャンネルとアナログ放送用のチャンネルとを検索するチャンネル検索工程と、上記アナログ放送用のチャンネルに対応するアナログ放送信号を出力した後に上記デジタル放送用のチャンネルに対応するデジタル放送信号を出力する切替え工程とを含むことを特徴としている。
【００４１】
上記の構成により、所望の番組の例えば画像と音声とをアナログ放送を利用することによりデジタル放送信号が再生可能になるのを待たずに出力することができる。
【００４２】
なお、上記放送受信装置が備える各手段を、コンピュータによって実現してもよく、この場合には、コンピュータを上記各手段として動作させることにより上記放送受信装置を実現する放送受信装置の放送受信プログラムおよびそれを記憶したコンピュータ読取り可能な記録媒体も本発明の範疇に入る。
【発明の効果】
【００４３】
本発明に係る放送受信装置は、以上のように、デジタル放送とアナログ放送との両方によって放送される番組を受信することができ、デジタル放送のデジタル放送信号およびアナログ放送のアナログ放送信号を再生可能な信号に復調する放送受信装置であって、所望の番組に対応する、デジタル放送用のチャンネルとアナログ放送用のチャンネルとを検索するチャンネル検索手段と、上記アナログ放送用のチャンネルに対応するアナログ放送信号を出力した後に上記デジタル放送用のチャンネルに対応するデジタル放送信号を出力する切替え手段とを備える構成である。
【００４４】
それゆえ、所望の番組をアナログ放送を利用することによりデジタル放送信号が再生可能になるのを待たずに出力することができ、選局時のタイムラグを違和感少なく短縮できるという効果を奏する。
【発明を実施するための最良の形態】
【００４５】
〔実施の形態１〕
本発明の実施の一形態について図１〜図６に基づいて説明すれば、以下のとおりである。
【００４６】
図２は、本実施形態の放送受信装置１の構成を示す概略図である。同図に示すように、本実施形態の放送受信装置１は、制御部２、デジタル放送受信部３、アナログ放送受信部６、放送波を受信するアンテナ１１、切替え部９（切替え手段）、Ｉ／Ｆ（インターフェイス）１０を備えている。
【００４７】
デジタル放送受信部３は、アンテナ１１を介してデジタル放送を受信し、その放送内容を再生するものである。このデジタル放送受信部３は、デジタル放送用チューナ４とデジタルデータ処理部５とから構成される。
【００４８】
デジタル放送用チューナ４は、制御部２から出力されるチャンネル選択信号に基づいて、デジタル放送のチャンネルを選局するものである。
【００４９】
デジタルデータ処理部５は、デジタル放送用チューナ４から出力されたデジタル放送信号を処理することにより、画像および音声を再生可能なデジタル放送データ（デジタル放送信号）を出力するものである。このデジタルデータ処理部５における処理には、例えば、OFDM復調処理、デマックス処理、デコード処理が含まれる。また、デジタルデータ処理部５は、上記の処理を終えると、その旨を伝える処理終了情報を制御部２へ出力する。
【００５０】
アナログ放送受信部６は、アンテナ１１を介してアナログ放送を受信し、その放送内容を再生するものである。このアナログ放送受信部６は、アナログ放送用チューナ７とアナログデータ処理部８とから構成される。
【００５１】
アナログ放送用チューナ７は、制御部２から出力されるチャンネル選択信号に基づいて、アナログ放送のチャンネルを選局するものである。
【００５２】
アナログデータ処理部８は、アナログ放送用チューナ７から出力されたアナログ放送信号を処理することにより、画像および音声を再生可能なアナログ放送データ（アナログ放送信号）を出力するものである。このアナログデータ処理部８における処理には、例えばＮＴＳＣ復号処理が含まれる。
【００５３】
画像表示部１２は、画像を表示できるものであればよく、例えば液晶ディスプレイを用いることができる。
【００５４】
切替え部９は、制御部２の制御下において、デジタルデータ処理部５およびアナログデータ処理部８からの出力のうち一方のみを選択的に出力するものである。図３は、切替え部９の構成を示す概略図である。同図に示すように、切替え部９は、データ選択部２７および出力制御部２８を備えている。
【００５５】
データ選択部２７は、アナログデータ処理部８から出力されたアナログ放送データまたはデジタルデータ処理部５から出力されたデジタル放送データのうち一方を選択して出力制御部２８へ出力するものである。この選択は、後述する切替え制御部２５から出力された切替え命令に従って行われる。
【００５６】
出力制御部２８は、データ選択部２７から出力された放送データのうち、画像データを画像表示部１２へ出力し、音声データをスピーカ１３へ出力するものである。
【００５７】
Ｉ／Ｆ１０は、ユーザの選局操作内容を制御部２に伝えるインターフェイスである。このＩ／Ｆ１０は、例えば、操作用のボタンやつまみ、表示用の液晶ディスプレイを備えていてもよい。
【００５８】
制御部２は、デジタル放送受信部３およびアナログ放送受信部６の受信制御とともに切替え部９の切替え制御を行うものである。
【００５９】
図１は、制御部２の構成を示す概略図である。図１に示すように、制御部２は、チューナ制御部２１、チャンネル検索部２２（チャンネル検索手段）、記憶部２３、切替え制御部２５（受信部制御手段）を備えている。
【００６０】
チャンネル検索部２２は、Ｉ／Ｆ１０から出力された選局情報を基に、ユーザが指定した放送局が放送しているデジタル放送およびアナログ放送のチャンネルを検索するものである。この検索は、記憶部２３に記録されたチャンネル対応リスト２４を参照することによって行われる。チャンネル検索部２２は、検索結果をチューナ制御部２１および切替え制御部２５へ出力する。
【００６１】
記憶部２３は、チャンネル対応リスト２４を記憶するためのメモリである。図４は、チャンネル対応リスト２４の一例を示す図である。チャンネル対応リスト２４は、同図に示すように、ある放送局から放送されているデジタル放送およびアナログ放送のチャンネルが登録されているものである。
【００６２】
より詳細には、記憶部２３は、デジタル放送およびアナログ放送の両方で同じ番組を放送している各放送局に関連付けて、その番組に対応するデジタル放送のチャンネル、および、その番組に対応するアナログ放送のチャンネルを記憶している。
【００６３】
例えばＡ局においては、デジタル放送はＵＨＦの21チャンネル（周波数521Mhz）、アナログ放送はＶＨＦの８チャンネル（周波数195MＨz）で放送されていることになる。上述した通り、アナログ放送が終了する2011年までは、デジタル放送とアナログ放送とはサイマル放送で運用されるため、同一内容の放送をデジタルおよびアナログの両方のチャンネルで受信可能となる。
【００６４】
チューナ制御部２１は、チャンネル検索部２２から出力された検索結果に基づいて、チャンネル選択信号をデジタル放送用チューナ４およびアナログ放送用チューナ７へ出力することにより、デジタル放送用チューナ４およびアナログ放送用チューナ７の設定を行うものである。また、チューナ制御部２１は、切替え制御部２５からの停止命令に従い、アナログ放送用チューナ７を停止させる。
【００６５】
切替え制御部２５は、切替え部９におけるアナログ放送データの出力とデジタル放送データの出力との切替えを制御するものである。切替え制御部２５は、チャンネル検索部２２またはデジタルデータ処理部５から出力された情報を基に、切替え部９の出力を切替えるための切替え命令を切替え部９へ出力する。また、切替え制御部２５は、切替え命令を出力した後に、アナログ放送用チューナ７を停止させる停止命令をチューナ制御部２１へ出力する。
【００６６】
（処理の流れ）
次に、放送受信装置１における処理の流れについて、図５を用いて説明する。図５は、放送受信装置１における処理の流れを説明するためのフローチャートである。
【００６７】
図５に示すように、ユーザの操作により、所望する番組を放送している放送局の情報（選局情報）がＩ/Ｆ１０を介してチャンネル検索部２２に入力される（Ｓ１）。この操作は、例えば、ユーザが視聴したい番組を放送している放送局のチャンネル番号ボタンを押す、または、画像表示部１２に表示されたメニュー画面などから上記放送局のチャンネルを選択すること等により行われる。
【００６８】
上記選局情報を受け取ると、チャンネル検索部２２は、記憶部２３にアクセスし、選ばれた放送局に対応するデジタル放送およびアナログ放送のチャンネルをチャンネル対応リスト２４から検索する（Ｓ２）。この検索が終了すると、チャンネル検索部２２は、検索結果をチューナ制御部２１へ、検索終了情報を切替え制御部２５へ出力する。
【００６９】
上記検索結果を受け取ると、チューナ制御部２１は、チャンネル選択信号をデジタル放送用チューナ４およびアナログ放送用チューナ７へ出力し、チャンネル検索部２２によって検索されたチャンネルに対応した選局動作を行う(Ｓ３)。
【００７０】
デジタル放送用チューナ４およびアナログ放送用チューナ７は、指定されたチャンネルの放送データを受信し、当該放送データを対応する処理部（デジタルデータ処理部５またはアナログデータ処理部８）へ出力する。デジタルデータ処理部５およびアナログデータ処理部８は、受け取った放送データを再生可能な放送データに変換する処理を始める（Ｓ４）。
【００７１】
一方、上記検索終了情報を受け取ると、切替え制御部２５は、切替え部９のデータ選択部２７へ切替え命令を出力し、データ選択部２７の出力をアナログ放送の出力に設定する（Ｓ５）。
【００７２】
上記放送データの処理が終了すれば、デジタルデータ処理部５およびアナログデータ処理部８は、再生可能な放送データをデータ選択部２７へ出力する。このとき、アナログデータ処理部８における処理の方が早く終了するため、データ選択部２７はデジタル放送データより先にアナログ放送データを受け取る。また、上記放送データの処理が終了すれば、デジタルデータ処理部５は、処理終了情報を切替え制御部２５へ出力する。
【００７３】
上記処理終了情報を受け取ると（Ｓ６にて、ＹＥＳ）、切替え制御部２５は、データ選択部２７をデジタル放送の出力に設定する（Ｓ７）。
【００７４】
その後、切替え制御部２５は、停止命令をチューナ制御部２１へ出力する。
【００７５】
上記停止命令を受け取ると、チューナ制御部２１は、アナログ放送用チューナ７の動作を停止し（Ｓ８）、一連の処理は終了される。
【００７６】
（切替え動作のタイミング）
次に、デジタル放送受信部３およびアナログ放送受信部６の動作を切替えるタイミングを、図６を用いて説明する。図６は、切替え部９の動作を切替えるタイミングを示す図である。同図において、デジタルデータ処理時間３０は、ユーザによるデジタル放送受信部３の選局設定が行われた時点（選局操作時点３１）からデジタル放送データが出力される時点（出力切替え時点３２）までの時間である。
【００７７】
図６に示すように、選局操作時点３１のタイミングで、デジタル放送受信部３とアナログ放送受信部６とが同じ放送局の放送を受信するように、チューナ制御部２１によってデジタル放送用チューナ４およびアナログ放送用チューナ７の選局設定が行われる。
【００７８】
そして、切替え制御部２５が切替え部９の出力をアナログ放送データの出力に設定する。
【００７９】
その後、デジタルデータ処理部５において画像データと音声データとが出力可能になるタイミング（出力切替え時点３２）で、切替え制御部２５が切替え部９の出力をデジタル放送データの出力に切替える。さらに、切替え制御部２５は、チューナ制御部２１を介してアナログ放送受信部６の動作を停止する。
【００８０】
（効果）
以上のように、本実施形態の放送受信装置１は、選局時に同じ番組のアナログ放送とデジタル放送とを受信し、デジタル放送が表示可能となるまではアナログ放送を表示するものである。それゆえ、ユーザは、所望の番組の画像と音声とを直ちに視聴することができる。
【００８１】
そして、デジタル放送が表示可能となった後は、デジタル放送表示に切替え、インターリーブや強力な誤り訂正機能による安定した、劣化の少ないデジタル放送を楽しむことが可能となる。
【００８２】
更に、デジタル放送出力に切替えた後は、アナログ放送受信部６の動作を停止するため消費電力を軽減することが可能となる。
【００８３】
〔実施の形態２〕
本発明の他の実施形態について図７〜図１０に基づいて説明すれば、以下のとおりである。なお、実施の形態１と同様の部材に関しては、同じ符号を付し、その説明を省略する。
【００８４】
図７は、本実施形態の放送受信装置４０の構成を示す概略図である。同図に示すように、本実施形態の放送受信装置４０は、上述の放送受信装置１が切替え部９を備えているのとは異なり、切替え部４１（切替え手段）を備えている。この切替え部４１を備えていることによりアナログ方法データを静止画像として出力することが可能となる。
【００８５】
また、放送受信装置４０は、制御部４５を備えている。図８は、制御部４５の構成を示す概略図である。同図に示すように、制御部４５は、タイマー４６および切替え制御部４７（受信部制御手段）を備えている。タイマー４６および切替え制御部４７を備えることにより、デジタルデータ処理部５における処理が終了した時点から一定時間後に切替え部４１の動作を変更できる。
【００８６】
以下において各部の詳細な説明を行う。
【００８７】
切替え部４１は、制御部４５の制御下において、デジタルデータ処理部５およびアナログデータ処理部８からの出力のうち一方のみを選択的に出力するものである。図９は、切替え部４１の構成を示す概略図である。同図に示すように、切替え部４１は、データ選択部４２、静止画像形成部４３（静止画像形成手段）、出力制御部４４を備えている。
【００８８】
データ選択部４２は、アナログデータ処理部８から出力されたアナログ放送データまたはデジタルデータ処理部５から出力されたデジタル放送データのうち一方を選択して出力制御部２８へ出力するものである。そして、アナログ放送データを出力する場合には、データ選択部４２は、出力制御部４４へ直接出力するか、静止画像形成部４３を介して出力するかの選択を行う。上記の選択は、切替え制御部４７から出力された切替え命令に従って行われる。
【００８９】
静止画像形成部４３は、データ選択部４２から出力されたアナログ放送データを受け取り、当該アナログ放送データに含まれる画像データを基に静止画像を形成し、当該静止画像の静止画像データを出力制御部４４へ出力するものである。静止画像形成部４３は、静止画像データとともに音声データを出力してもよいし、静止画像データのみを出力してもよい。
【００９０】
静止画像形成部４３は、例えば、アナログ放送データに含まれる画像データの１画面分を図示しないフレームバッファにバッファし、バッファした画像データを連続して出力することで静止画像を形成してもよい。
【００９１】
出力制御部４４は、データ選択部４２または静止画像形成部４３から出力された放送データのうち、画像データを画像表示部１２へ出力し、音声データをスピーカ１３へ出力するものである。
【００９２】
切替え制御部４７は、切替え部４１の動作の切替を行うものである。具体的には、切替え制御部４７は、チャンネル検索部２２から検索終了情報を受け取ると、データ選択部４２をアナログ放送データの出力に設定する。そして、デジタルデータ処理部５から処理終了情報を受け取ると、データ選択部４２を静止画像形成のための出力に設定し、タイマー４６を参照しつつ所定時間が経過するのを待つ。上記所定時間が経過すると、切替え制御部４７は、データ選択部４２をデジタル放送データの出力に設定し、チューナ制御部２１を介してアナログ放送用チューナ７の動作を停止させる。
【００９３】
なお、上記所定時間は、デジタル放送信号の処理に要する時間とアナログ放送信号の処理に要する時間との差に相当する時間（デジタル・アナログ遅延時間）とすることが好ましい。
【００９４】
（処理の流れ）
次に、放送受信装置４０における処理の流れについて、図１０を用いて説明する。図１０は、放送受信装置４０における処理の流れを説明するためのフローチャートである。
【００９５】
同図に示すように、ユーザーによる選局情報の入力（Ｓ１１）からデジタルデータ処理部５およびアナログデータ処理部８におけるデータ処理（Ｓ１４）までの処理は、放送受信装置１における処理と同様のため、その説明を省略する。
【００９６】
チャンネル検索部２２から、検索終了情報を受け取ると、切替え制御部４７は、データ選択部４２へアナログ放送出力命令を出力する。このアナログ放送出力命令を受け取ると、データ選択部４２は、アナログデータ処理部８から出力されたアナログ放送データを出力制御部４４へ出力する（Ｓ１５）。
【００９７】
デジタルデータ処理部５およびアナログデータ処理部８におけるデータ処理が終了すれば、デジタルデータ処理部５およびアナログデータ処理部８は、再生可能な放送データをデータ選択部４２へ出力する。また、上記処理が終了すれば、デジタルデータ処理部５は、処理終了情報を切替え制御部４７に出力する。
【００９８】
この処理終了情報を受け取ると（Ｓ１６にて、ＹＥＳ）、切替え制御部４７は、静止画像出力命令をデータ選択部４２へ出力する。
【００９９】
この静止画像出力命令を受け取ると、データ選択部４２はアナログ放送データを静止画像形成部４３へ出力する。このアナログ放送データを受け取ると、静止画像形成部４３は、当該アナログ放送データを基に静止画像を形成し、当該静止画像の静止画像データを音声データとともに出力制御部４４へ出力する（Ｓ１７）。
【０１００】
一方、処理終了情報を受け取ると、切替え制御部４７は、タイマー４６を参照し、所定時間が経過したかどうかを計測する（Ｓ１８）。所定時間が経過すると（Ｓ１８にて、ＹＥＳ）、切替え制御部４７は、デジタル放送出力命令をデータ選択部４２へ出力する。
【０１０１】
このデジタル放送出力命令を受け取ると、データ選択部４２は、アナログ放送データの出力を中止し、デジタルデータ処理部５から出力されたデジタル放送データを出力制御部４４へ出力する（Ｓ１９）。
【０１０２】
また、所定時間が経過すると、切替え制御部４７は、チューナ制御部２１へ停止命令を出力する。この停止命令を受け取ると、チューナ制御部２１は、アナログ放送用チューナ７の動作を停止し（Ｓ２０）、一連の処理は終了される。
【０１０３】
（切替え動作のタイミング）
次に、デジタル放送受信部３およびアナログ放送受信部６の動作を切替えるタイミングを、図１１を用いて説明する。図１１は、切替え部４１の動作を切替えるタイミングを説明するための図である。
【０１０４】
同図において、デジタルデータ処理時間５０は、ユーザによるデジタル放送受信部３の選局設定が行われた時点（選局操作時点５２）からデジタル放送データが出力される時点（出力切替え時点５４）までの時間である。
【０１０５】
また、同図において、デジタル・アナログ遅延時間５１は、デジタル放送信号の処理に要した時間とアナログ放送信号の処理に要した時間との差である。デジタル放送は放送局における画像音声エンコード処理やＯＦＤＭ変調処理、受信機における画像音声デコード処理やＯＦＤＭ復調処理が必要なため、アナログ放送と比較して放送が遅れて再生される。
【０１０６】
放送受信装置１における動作と同様に、放送受信装置４０において、選局操作時点５２においてデジタル放送受信部３とアナログ放送受信部６との選局設定が行われ、まず、切替え部４１がアナログ放送データの出力に設定される。その後、デジタルデータ処理部５において画像と音声とが出力可能となる時点（デジタル再生可能時点５３）からデジタル・アナログ遅延時間５１を消費するまでは、切替え部４１は静止画像の出力に設定される。そして、デジタル・アナログ遅延時間５１が消費された時点（出力切替え時点５４）で、切替え部４１はアナログ放送の出力からデジタル放送の出力に切替えられる。
【０１０７】
図１１に示すように、デジタル放送とアナログ放送との遅延時間を考慮して切替えることにより、スムーズな映像切替えが可能となる。その理由について以下に説明する。
【０１０８】
上述したようにアナログ放送の放送内容は、デジタル・アナログ遅延時間５１の分だけデジタル放送の放送内容よりも先行している。そのため、デジタル再生可能時点５３においてアナログ放送からデジタル放送へ切替えた場合には、デジタル・アナログ遅延時間５１の間は既にアナログ放送において視聴された内容と同じ内容のものがデジタル放送において視聴されることになる。すなわち、放送内容がダブって視聴されることになる。
【０１０９】
そこで、デジタル・アナログ遅延時間５１の間はアナログ放送の静止画像を出力することにより放送内容がダブって視聴されるという問題を解決できる。
【０１１０】
なお、アナログ・デジタル遅延時間５１の間は、アナログ放送の画像データを静止画像として出力するだけでなく、音声もミュート（無音）にする事などの変更も可能である。
【０１１１】
（効果）
以上のように、本実施形態の放送受信装置４０は、選局時に同じ放送局のアナログ放送とデジタル放送を受信し、デジタル放送が表示可能となるまではアナログ放送を表示するように出力を切替えるものである。それゆえ、ユーザは、所望の番組の映像と音声を直ちに視聴することができる。
【０１１２】
そして、デジタル放送が表示可能となった後は、デジタル放送表示に切替え、インターリーブや強力な誤り訂正機能による安定した、劣化の少ないデジタル放送を楽しむことが可能となる。
【０１１３】
更にデジタル放送出力に切替えた後は、アナログ放送受信部６の動作を停止するため消費電力を軽減することが可能となる。
【０１１４】
更に、デジタル放送とアナログ放送の遅延時間を考慮して出力切替えを行うことによりスムーズな映像切替えが可能となる。
【０１１５】
（変更例）
上記の構成では、ユーザの指示は、Ｉ/Ｆ１０を介してチャンネル検索部２２へ出力されているが、切替え制御部２５または切替え制御部４７へ出力され、チャンネル検索部２２は、切替え制御部２５または切替え制御部４７からの命令に従って動作してもよい。
【０１１６】
また、上記の構成では、切替え部９は、デジタルデータ処理部５およびアナログデータ処理部８からの出力のうち一方のみを選択的に出力するものであるとしているが、デジタルデータ処理部５およびアナログデータ処理部８からの出力の両方を出力するとともに、そのどちらの出力を選択するのかという選択情報を出力してもよい。この場合には、デジタルデータ処理部５およびアナログデータ処理部８からの出力を受け取る装置、例えば画像表示部１２は、上記選択情報に基づいて、デジタルデータ処理部５およびアナログデータ処理部８からの出力のうち一方を出力してもよい。
【０１１７】
また、上記選択情報は再生可能なデジタル放送データそのものであってもよく、この場合には、デジタルデータ処理部５およびアナログデータ処理部８からの出力を受け取る装置は、デジタル放送データを受け取ったことを機に、当該デジタル放送データを出力すればよい。そのため、デジタル放送データを出力することにより、上記選択情報を出力することと同様の効果を奏することができる。
【０１１８】
また、切替え部９は、デジタル放送データを出力する場合に、デジタル放送データと当該デジタル放送データが有効であることを示す有効情報とを出力し、アナログ放送データを出力する場合に、アナログ放送データと当該アナログ放送データが有効であることを示す有効情報とを出力し、画像表示部１２およびスピーカ１３は、放送データとその有効情報とがそろった時に当該放送データを出力するようにしてもよい。この場合には、デジタル放送データを出力することには、デジタル放送データの有効情報を出力することも含まれ、アナログ放送データを出力することには、アナログ放送データの有効情報を出力することも含まれる。
【０１１９】
また、上記の構成では、静止画像形成部４３はデジタル放送信号が再生可能となった後に静止画像を形成しているが、デジタル放送信号が再生可能となる時点よりも前に静止画像を形成してもよい。
【０１２０】
また、上記の構成では、切替え部４１は、所定時間後に静止画像の出力からデジタル放送データの出力へ切替えているが、デジタル放送の内容とアナログ放送の内容とが一致した時点で上記切替えを行ってもよい。
【０１２１】
また、アンテナ１１は放送受信装置１または放送受信装置４０と一体となっていてもよいし、独立したのであってもよい。また、画像表示部１２およびスピーカ１３は、放送受信装置１または放送受信装置４０と一体となっていてもよい。また、画像表示部１２とスピーカ１３とは一体のものであってもよい。
【０１２２】
また、上記の構成では、切替え制御部２５・４７は、デジタルデータ処理部５から出力された処理終了情報に基づいて切替え部９・４１の動作を切替える構成としているが、切替え制御部２５・４７は、ユーザによる入力操作が行われてから、または、検索終了情報を受け取ってから、所定の時間が経過した時点で切替え部９・４１の動作を切替えてもよい。この場合、上記所定の時間は、デジタル放送信号の処理に要する時間とすることが好ましい。
【０１２３】
また、放送受信装置１および放送受信装置４０の各手段は、ハードウェアロジックによって構成してもよいし、次のようにＣＰＵを用いてソフトウェアによって構成してもよい。
【０１２４】
すなわち、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種情報を格納するメモリ等の記録媒体などを備えている。
【０１２５】
そして、本発明の目的は、上述した機能を実現するソフトウェアである放送受信装置１および放送受信装置４０の制御プログラムのプログラムコード（実行形式プログラム、中間コードプログラム、ソースプログラム）をコンピュータで読取り可能に記録した記録媒体を、上記放送受信装置１および放送受信装置４０に供給し、そのコンピュータ（またはＣＰＵやＭＰＵ）が記録媒体に記録されているプログラムコードを読み出し実行することによっても、達成可能である。
【０１２６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２７】
また、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。
【０１２８】
また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Bluetooth（登録商標）、８０２．１１無線、ＨＤＲ、携帯電話網、衛星回線、地上波デジタル網等の無線でも利用可能である。
【０１２９】
なお、本発明は、上記プログラムコードが電子的な伝送で具現化された、搬送波に埋め込まれたコンピュータデータ信号の形態でも実現され得る。
【０１３０】
このように本明細書において、手段とは必ずしも物理的手段を意味するものではなく、各手段の機能がソフトウェアによって実現される場合も包含する。さらに、一つの手段の機能が二つ以上の物理的手段により実現されても、もしくは、二つ以上の手段の機能が一つの物理的手段により実現されてもよい。
【０１３１】
また、本発明の放送受信装置は、デジタル放送を受信するデジタル放送受信部と、アナログ放送を受信するアナログ放送受信部と、上記デジタル放送受信部と上記アナログ放送受信部との切替えを行う切替え部と、上記デジタル放送受信部と上記アナログ放送受信部が同一放送局の放送電波を受信するように選局設定し、上記デジタル放送受信部で受信した放送データが再生可能となるまでアナログ放送受信部の放送データを出力するように上記切替え部を制御する制御部を備えたものであってもよい。
【０１３２】
また、本発明の放送受信装置は、上記制御部が、アナログ放送受信部の出力からデジタル放送受信部の出力に切替えた後、アナログ放送受信部の受信動作を停止するものであってもよい。
【０１３３】
また、本発明の放送受信装置は、上記制御部が、上記デジタル放送受信部で受信した放送データが再生可能となった後、デジタル放送とアナログ放送の放送内容が一致するまでの間はアナログ放送を静止画面で出力し、その後、デジタル放送受信部の出力に切替えるものであってもよい。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３５】
デジタル放送を快適に視聴できる放送受信装置として利用できる。
【図面の簡単な説明】
【０１３６】
【図１】一実施形態の放送受信装置が備える制御部の構成を示す概略図である。
【図２】一実施形態の放送受信装置の構成を示す概略図である。
【図３】一実施形態の放送受信装置が備える切替え部の構成を示す概略図である。
【図４】チャンネル対応リストの一例を示す図である。
【図５】一実施形態の放送受信装置における処理の流れを説明するためのフローチャートである。
【図６】一実施形態の放送受信装置が備える切替え部の動作を切替えるタイミングを示す図である。
【図７】別の実施形態の放送受信装置の構成を示す概略図である。
【図８】別の実施形態の放送受信装置が備える制御部の構成を示す概略図である。
【図９】別の実施形態の放送受信装置が備える切替え部の構成を示す概略図である。
【図１０】別の実施形態の放送受信装置における処理の流れを説明するためのフローチャートである。
【図１１】別の実施形態の放送受信装置が備える切替え部の動作を切替えるタイミングを説明するための図である。
【図１２】従来のデジタル放送受信装置の構成を示す概略図である。
【図１３】従来のデジタル放送受信装置が備えるチューナの構成を示す概略図である。
【図１４】従来のデジタル放送受信装置が備えるＯＦＤＭ復調部の構成を示す概略図である。
【符号の説明】
【０１３７】
１  放送受信装置
３  デジタル放送受信部
６  アナログ放送受信部
９  切替え部（切替え手段）
２２  チャンネル検索部（チャンネル検索手段）
２５  切替え制御部（受信部制御手段）
４０  放送受信装置
４１  切替え部（切替え手段）
４３  静止画像形成部（静止画像形成手段）
４７  切替え制御部（受信部制御手段）
【図１】
2006333412.tif 000003
【図２】
2006333412.tif 000004
【図３】
2006333412.tif 000005
【図４】
2006333412.tif 000006
【図５】
2006333412.tif 000007
【図６】
2006333412.tif 000008
【図７】
2006333412.tif 000009
【図８】
2006333412.tif 000010
【図９】
2006333412.tif 000011
【図１０】
2006333412.tif 000012
【図１１】
2006333412.tif 000013
【図１２】
2006333412.tif 000014
【図１３】
2006333412.tif 000015
【図１４】
2006333412.tif 000016